(57)【要約】【課題】吐水部から高濃度除菌水が吐出されるのを抑制すること。【解決手段】実施形態の一態様に係る衛生洗浄装置は、流路と、ノズルと、除菌水生成部と、吐水部と、制御部とを備える。流路には水が流れる。ノズルは、流路を流れてきた水を噴射して人体局部を洗浄する。除菌水生成部は、流路に設けられ、ケース内に収容した除菌剤に水が接触することで除菌剤から金属イオンを溶出させ、ケース内に水が滞留している時間が長いほど金属イオンの濃度が高くなる除菌水を生成する。吐水部は、除菌水生成部で生成された除菌水をノズルまたは便器のボウル部に吐出する。制御部は、吐水部による吐水を制御する。また、制御部は、除菌水生成部のケース内に除菌水を滞留させている時間が所定時間を超えた場合には吐水部において除菌水を吐出させる。【選択図】図８
2020193442.tif 000002
【特許請求の範囲】
【請求項１】
水が流れる流路と、
前記流路を流れてきた水を噴射して人体局部を洗浄するノズルと、
前記流路に設けられ、ケース内に収容した除菌剤に水が接触することで除菌剤から金属イオンを溶出させ、前記ケース内に水が滞留している時間が長いほど金属イオンの濃度が高くなる除菌水を生成する除菌水生成部と、
前記除菌水生成部において生成された除菌水を前記ノズルまたは便器のボウル部に吐出する吐水部と、
前記吐水部による吐水を制御する制御部と
を備え、
前記制御部は、前記除菌水生成部の前記ケース内に除菌水を滞留させている時間が所定時間を超えた場合には前記吐水部において除菌水を吐出させる、衛生洗浄装置。
【請求項２】
前記吐水部の吐水量が前記除菌水生成部の前記ケースの容量よりも大きい、請求項１に記載の衛生洗浄装置。
【請求項３】
前記除菌水生成部において前記ケース内に除菌水の一部を残す、請求項１または２に記載の衛生洗浄装置。
【請求項４】
前記除菌水生成部は、前記ケース内に除菌水を縮流により滞留させる滞留部を有する、請求項３に記載の衛生洗浄装置。
【請求項５】
前記吐水部は、前記ボウル部に向けて除菌水を吐出する便器側吐水部を有し、
前記制御部は、前記除菌水生成部の前記ケース内に除菌水を滞留させている時間が所定時間を超えた場合、前記便器側吐水部において除菌水を吐出させる、請求項１〜４のいずれか一つに記載の衛生洗浄装置。
【請求項６】
前記吐水部は、前記ノズルに向けて除菌水を吐出するノズル側吐水部を有し、
前記制御部は、前記除菌水生成部の前記ケース内に除菌水を滞留させている時間が所定時間を超えた場合、前記ノズル側吐水部において除菌水を吐出させる、請求項５に記載の衛生洗浄装置。
【請求項７】
前記制御部は、前記除菌水生成部の前記ケース内に除菌水を滞留させている時間が所定時間を超えた場合、前記便器側吐水部において除菌水を吐出させた後に前記ノズル側吐水部において除菌水を吐出させる、請求項６に記載の衛生洗浄装置。
【請求項８】
前記制御部は、前記除菌水生成部の前記ケース内に除菌水を滞留させている時間が所定時間を超えた場合、前記吐水部において除菌水を吐出させてから前記所定時間よりも短い第２の所定時間が経過した後、前記吐水部において除菌水または水を吐出させる、請求項１〜７のいずれか一つに記載の衛生洗浄装置。
【請求項９】
人体を検知する人体検知部
をさらに備え、
前記制御部は、前記人体検知部により人体が検知されると、前記吐水部における除菌水の吐出を停止させる、請求項１〜８のいずれか一つに記載の衛生洗浄装置。
【請求項１０】
前記制御部は、前記ノズルが使用されなかった場合に前記人体検知部により人体が検知されなくなると、前記吐水部において除菌水を吐出させる、請求項９に記載の衛生洗浄装置。
【発明の詳細な説明】
【技術分野】
【０００１】
開示の実施形態は、衛生洗浄装置に関する。
【背景技術】
【０００２】
従来、ノズルから水を噴射して人体局部を洗浄する衛生洗浄装置において、除菌水生成部で生成した除菌水をノズルに向けて吐出することで、ノズル（表面）の除菌処理を行うことが知られている。このような衛生洗浄装置では、たとえば、除菌水生成部において、ケース内に水が流入し、ケース内に収容した固形の除菌剤に水が接触することで、除菌剤から除菌成分である金属イオンを溶出させて除菌水を生成する技術がある（たとえば、特許文献１参照）。
【先行技術文献】
【特許文献】
【０００３】
【特許文献１】特開２０１８−１２７７６４号公報
【発明の概要】
【発明が解決しようとする課題】
【０００４】
しかしながら、上記したような従来技術では、ケース内に水が滞留している時間が長いほど除菌剤から金属イオンが溶出されて金属イオンの濃度が高まるため、たとえば、ノズルなどの除菌対象物に向けて除菌水を吐出する吐水部から高濃度除菌水が吐出されてしまう。この場合、高濃度除菌水が付着した除菌対象物に黒ずみ（変色）などが発生する可能性がある。
【０００５】
実施形態の一態様は、上記に鑑みてなされたものであって、吐水部から高濃度除菌水が吐出されるのを抑制することができる衛生洗浄装置を提供することを目的とする。
【課題を解決するための手段】
【０００６】
実施形態の一態様に係る衛生洗浄装置は、水が流れる流路と、前記流路を流れてきた水を噴射して人体局部を洗浄するノズルと、前記流路に設けられ、ケース内に収容した除菌剤に水が接触することで除菌剤から金属イオンを溶出させ、前記ケース内に水が滞留している時間が長いほど金属イオンの濃度が高くなる除菌水を生成する除菌水生成部と、前記除菌水生成部において生成された除菌水を前記ノズルまたは便器のボウル部に吐出する吐水部と、前記吐水部による吐水を制御する制御部とを備え、前記制御部は、前記除菌水生成部の前記ケース内に除菌水を滞留させている時間が所定時間を超えた場合には前記吐水部において除菌水を吐出させる。
【０００７】
このような構成によれば、除菌剤に水が長時間接触して高濃度除菌水が生成され、生成された高濃度除菌水が吐出部から吐出されるのを抑制することができる。除菌水が、たとえば、銀イオン水の場合は、ノズルやボウル部における除菌水の高濃度化による黒ずみ（変色）を抑制することができる。また、高濃度除菌水が人体に影響を与えるなどの危険性を低減することができる。
【０００８】
また、上記した衛生洗浄装置では、前記吐水部の吐水量が前記除菌水生成部の前記ケースの容量よりも大きい。
【０００９】
このような構成によれば、除菌水の吐出（自動除菌）によってケース内の除菌水を全体的に置換することができる。これにより、ケース内に除菌水の濃度を所定以上まで高める時間が長くなり、自動除菌の間隔を長くすることができる。
【００１０】
また、上記した衛生洗浄装置では、前記除菌水生成部において前記ケース内に除菌水の一部を残す。
【００１１】
このような構成によれば、ケース内から除菌水の全部が排出されないため、自動除菌により除菌水が吐出された後にさらに除菌水を吐出する場合に短時間で比較的濃度の高い除菌水を生成することができる。
【００１２】
また、上記した衛生洗浄装置では、前記除菌水生成部は、前記ケース内に除菌水を縮流により滞留させる滞留部を有する。
【００１３】
このような構成によれば、ケース内に除菌水の一部を残すことができる。これにより、上記同様、自動除菌により除菌水が吐出された後にさらに除菌水を吐出する場合に短時間で比較的濃度の高い除菌水を生成することができる。
【００１４】
また、上記した衛生洗浄装置では、前記吐水部は、前記ボウル部に向けて除菌水を吐出する便器側吐水部を有し、前記制御部は、前記除菌水生成部の前記ケース内に除菌水を滞留させている時間が所定時間を超えた場合、前記便器側吐水部において除菌水を吐出させる。
【００１５】
このような構成によれば、汚れの程度が大きいボウル部に向けて除菌水を自動吐水（自動除菌）するため、ボウル部の除菌効果を高めることができる。
【００１６】
また、上記した衛生洗浄装置では、前記吐水部は、前記ノズルに向けて除菌水を吐出するノズル側吐水部を有し、前記制御部は、前記除菌水生成部の前記ケース内に除菌水を滞留させている時間が所定時間を超えた場合、前記ノズル側吐水部において除菌水を吐出させる。
【００１７】
このような構成によれば、ノズルに向けて除菌水を自動吐水するため、ノズルに対しても除菌効果を高めることができる。
【００１８】
また、上記した衛生洗浄装置では、前記制御部は、前記除菌水生成部の前記ケース内に除菌水を滞留させている時間が所定時間を超えた場合、前記便器側吐水部において除菌水を吐出させた後に前記ノズル側吐水部において除菌水を吐出させる。
【００１９】
このような構成によれば、汚れの程度が大きいボウル部には比較的濃度の高い除菌水で除菌処理を行い、汚れの程度が少ないノズルには後からケース内に流れ込んできた水により希釈されて濃度が低くなった除菌水で除菌処理を行うため、一連の除菌処理を効率的に行うことができる。
【００２０】
また、上記した衛生洗浄装置では、前記制御部は、前記除菌水生成部の前記ケース内に除菌水を滞留させている時間が所定時間を超えた場合、前記吐水部において除菌水を吐出させてから前記所定時間よりも短い第２の所定時間が経過した後、前記吐水部において除菌水または水を吐出させる。
【００２１】
このような構成によれば、除菌水の吐出先であるノズルやボウル部が乾燥する前に除菌水または水を自動吐水することで、除菌水の乾燥による金属イオンの固着を抑制することができる。
【００２２】
また、上記した衛生洗浄装置では、人体を検知する人体検知部をさらに備え、前記制御部は、前記人体検知部により人体が検知されると、前記吐水部における除菌水の吐出を停止させる。
【００２３】
このような構成によれば、人体が検知された場合は衛生洗浄装置を含むトイレが使用されることが予想されるため、除菌水の自動吐水を停止して除菌水生成部のケース内に除菌水を残しておくことで、この後の除菌水の生成時間を短縮することができる。また、使用者に衛生洗浄装置を含むトイレの使用を優先させることで快適性を確保することができる。
【００２４】
また、上記した衛生洗浄装置では、前記制御部は、前記ノズルが使用されなかった場合に前記人体検知部により人体が検知されなくなると、前記吐水部において除菌水を吐出させる。
【００２５】
このような構成によれば、除菌水が消費されていないため、除菌水の自動吐水を行うことで高濃度除菌水が生成されるのを防止することができる。
【発明の効果】
【００２６】
実施形態の一態様によれば、吐水部から高濃度除菌水が吐出されるのを抑制することができる。
【図面の簡単な説明】
【００２７】
【図１】図１は、実施形態に係る衛生洗浄装置を示す概略斜視図である。
【図２】図２は、衛生洗浄装置の流路構成の説明図である。
【図３】図３は、衛生洗浄装置の流路構成の変形例の説明図である。
【図４】図４は、金属イオン溶出ユニットの説明図（その１）である。
【図５】図５は、金属イオン溶出ユニットの説明図（その２）である。
【図６】図６は、金属イオン溶出ユニットの説明図（その３）である。
【図７】図７は、ボウル部の除菌処理を含む一連の除菌処理（自動除菌モード）の手順の一例を示すフローチャートである。
【図８】図８は、自動除菌モードにおける除菌水の高濃度化抑制処理（その１）の手順を示すフローチャートである。
【図９】図９は、自動除菌モードにおける除菌水の高濃度化抑制処理（その２）の手順を示すフローチャートである。
【発明を実施するための形態】
【００２８】
以下、添付図面を参照して、本願の開示する衛生洗浄装置の実施形態を詳細に説明する。なお、以下に示す実施形態によりこの発明が限定されるものではない。
【００２９】
図１は、実施形態に係る衛生洗浄装置１０を示す概略斜視図である。図１に示すように、衛生洗浄装置１０は、便器２０の上部に設けられる。衛生洗浄装置１０は、本体部１１と、弁蓋１２と、便座１３とを備える。本体部１１は、ケーシング１１１と、ケーシング１１１内に収納され、人体局部に向けて水を吐出（噴射）するノズル１１２とを備える。
【００３０】
図２は、衛生洗浄装置１０の流路構成の説明図である。なお、図２には、制御部６０を中心とする制御系を共に示している。図２に示すように、衛生洗浄装置１０は、水（洗浄水という）が流れる流路３０を備える。流路３０は、主流路３１と、主流路３１から分岐する副流路３２とを備える。
【００３１】
衛生洗浄装置１０は、主流路３１において上流側から、給水源４１と、電磁弁４２と、調圧弁４３と、熱交換器ユニット４４と、流量センサ４５と、バキュームブレーカ（ＶＢ）４６と、圧力変調装置４７と、流路切替部４８ａ，４８ｂと、流量調整部４９と、上記したノズル１１２とを備える。なお、ノズル１１２は、駆動源（ノズルモータ）１１３によって進退駆動される。
【００３２】
また、衛生洗浄装置１０は、副流路３２において上流側から、除菌水生成部（金属イオン溶出ユニット）５０と、流路切替部４８ｃと、吐水部１１４とを備える。さらに、衛生洗浄装置１０は、制御部６０と、電源回路６１と、人体検知部６２と、操作部６３とを備える。
【００３３】
給水源４１は、流路３０（主流路３１）に洗浄水を供給する。電磁弁４２は、給水源４１からの洗浄水の供給を開閉によって制御する。なお、電磁弁４２は、後述する制御部６０からの制御信号に応じて駆動する。調圧弁４３は、供給された洗浄水の水圧を調整する。熱交換器ユニット４４は、使用者によって設定された所定温度（たとえば、３８℃）になるよう洗浄水を加熱する。
【００３４】
流量センサ４５は、洗浄水の流量（主流路３１における流量センサ４５が配置された位置の単位時間あたりの流量）を検知する。流量センサ４５の検知結果は制御部６０に送信される。バキュームブレーカ４６は、主流路３１に負圧が発生した場合に、逆流する洗浄水を図示しない大気開放経路に流すことで、ノズル１１４から洗浄水が逆流するのを防止する。
【００３５】
圧力変調装置４７は、たとえば、流路容積を変化させて洗浄水を脈動させる。圧力変調装置４７は、洗浄水を脈動させることで、洗浄水の流量が比較的少ない場合においても、人体局部を洗浄する水勢を強化することができる。
【００３６】
流路切替部４８ａは、制御部６０からの制御信号に応じて駆動する切替弁であり、主流路３１を流れる洗浄水の流出先を副流路３２に切り替える。流量調整部４９は、洗浄水の流量を調整する。流路切替部４８ｂは、制御部６０からの制御信号に応じて駆動する切替弁であり、洗浄水の流出先を、ノズル１１４の複数の吐水口のいずれかに切り替える。
【００３７】
ノズル１１２は、上記したように、便座１３（図１参照）に着座した使用者の局部に向けて洗浄水を噴射する。ノズル１１２は、ケーシング１１１（図１参照）に対して進退自在である。ノズル１１２は、前進（進出）した位置で人体局部に向けて洗浄水を噴射して人体局部を洗浄し、後退した位置でケーシング１１１内に収納される。
【００３８】
除菌水生成部である金属イオン溶出ユニット５０は、副流路３２を流れる洗浄水に除菌成分を加えて除菌水を生成する。なお、除菌水生成部（金属イオン溶出ユニット）５０については、図４などを用いて後述する。流路切替部４８ｃは、制御部６０からの制御信号に応じて駆動する切替弁であり、洗浄水の流出先を、吐水部１１４のうち、ノズル側吐水部（ノズル洗浄室）１１５または便器側吐水部（噴霧ノズル）１１６に切り替える。
【００３９】
ノズル側吐水部であるノズル洗浄室１１５は、除菌水が供給されると、除菌水をノズル１１２に向けて吐出する。ノズル洗浄室１１５は、吐水孔からノズル１１２の表面に除菌水を流し、ノズル１１２の表面を洗浄（除菌）する。
【００４０】
便器側吐水部である噴霧ノズル１１６は、除菌水が供給されると、便器２０において汚物を受けるボウル部２１に向けて除菌水を吐出する。噴霧ノズル１１６は、吐水孔からボウル部２１の表面に除菌水をミスト状に吐出（噴霧）する。噴霧ノズル１１６は、除菌水を噴霧することで、ボウル部２１の表面を濡らして汚物の付着を抑制するとともに、ボウル部２１の表面を除菌する。
【００４１】
制御部６０は、ＣＰＵ（Central  Processing  Unit）やＭＰＵ（Micro  Processing  Unit）などによって、記憶部に記憶されているプログラムがＲＡＭを作業領域として実行されることにより実現される。また、制御部６０は、たとえば、ＡＳＩＣ（Application  Specific  Integrated  Circuit）やＦＰＧＡ（Field  Programmable  Gate  Array）などの集積回路によって実現され得る。
【００４２】
制御部６０は、入力される各種の信号に基づいて、流路切替部４８ａ，４８ｂ，４８ｃなどを制御する。制御部６０は、流路切替部４８ａ，４８ｂ，４８ｃを制御することで、主流路３１におけるノズル１１２の吐水や、副流路３２における吐水部１１４、すなわち、ノズル洗浄室１１５や噴霧ノズル１１６による吐水を制御する。
【００４３】
記憶部は、たとえば、ＲＡＭ（Random  Access  Memory）、フラッシュメモリ（Flash  Memory）などの半導体メモリ素子などによって実現される。
【００４４】
電源回路６１は、制御部６０に対して電力を供給する。人体検知部６２は、使用者などの人体を検知する。人体検知部６２は、たとえば、使用者がトイレルームに入室したことを検知する入室センサ６２ａ、使用者が便座１３（図１参照）に着座したことを検知する着座センサ６２ｂ、便蓋１３の開閉を検知する便蓋センサ６２ｃを備える。人体検知部６２は、検知信号を制御部６０に送信する。
【００４５】
操作部６３は、使用者により手動操作されることで、便器洗浄の他、ノズル１１２、ノズル洗浄室１１５および噴霧ノズル１１６からの洗浄水や除菌水の吐水を行うよう制御部６０に指示信号を送信する。制御部６０は、操作部６３からの信号を受けると、信号に応じて各部の制御を行う。
【００４６】
図３は、衛生洗浄装置１０の流路構成の変形例の説明図である。図３に示すように、変形例は、上流側の流路切替部４８ａを省略して下流側の流路切替部４８ａにおいて副流路３２の金属イオン溶出ユニット５０に向けて洗浄水を供給する点について、図２に示す例とは異なる。なお、図３に示す変形例において、図２に示す流路構成と同一または同等の箇所には同一の符号を付し、各部の説明は省略する。
【００４７】
また、図２および図３に示す流路構成では、金属イオン溶出ユニット５０がノズル洗浄室１１５および噴霧ノズル１１６を切り替える流路切替部４８ｃの上流側に配置されているが、たとえば、汚れの程度が大きいボウル部２１（図１参照）の除菌処理を優先して、流路切替部４８ｃから噴霧ノズル１１６までの間、すなわち、噴霧ノズル１１６のすぐ上流に配置されてもよい。
【００４８】
次に、図４〜図６を参照して除菌水生成部（金属イオン溶出ユニット）５０について説明する。図４〜図６は、金属イオン溶出ユニット５０の説明図である。除菌水生成部である金属イオン溶出ユニット５０は、副流路３２（図２参照）に配置される。図４に示すように、金属イオン溶出ユニット５０は、ケース５１と、除菌剤５２とを備える。ケース５１は、たとえば、矩形箱型であり、上流側に円筒状の入口部５１１と、下流側に円筒状の出口部５１２とを備える。
【００４９】
除菌剤５２は、ケース５１内に収容される。除菌剤５２は、固形状であり、水Ｗ１が接触することで、除菌成分を溶出する。除菌剤５２は、たとえば、抗菌ガラスであり、除菌成分である金属イオン（銀イオン）を溶出する。金属イオン溶出ユニット５０は、除菌剤５２に金属イオンを溶出させることで、除菌水（銀イオン水）Ｗ２を生成する。金属イオン溶出ユニット５０は、その構成の特性上、ケース５１内に水が滞留している時間が長いほど金属イオンの濃度が高まる。
【００５０】
金属イオン溶出ユニット５０は、上記した吐水部１１４、すなわち、ノズル洗浄室１１５や噴霧ノズル１１６（図２参照）の吐水量よりも容積が小さいことが好ましい。
【００５１】
図５に示すように、金属イオン溶出ユニット５０は、ケース５１内に除菌水Ｗ２の一部（除菌水Ｗ２ａ）を残すように構成されている。図６に示すように、金属イオン溶出ユニット５０は、滞留部５１３ａ，５１３ｂを有する。たとえば、滞留部５１３ａは、矩形箱型のケース５１の四隅付近において除菌水Ｗ２を縮流させることで、除菌水Ｗ２をケース５１内に滞留させる。また、たとえば、滞留部５１３ｂは、円筒状の出口部５１２の内壁付近において除菌水Ｗ２を縮流させることで、除菌水Ｗ２をケース５１内に滞留させる。
【００５２】
また、制御部６０は、各部を制御することにより、ノズル洗浄室１１５および噴霧ノズル１１６のそれぞれによる吐水を所定タイミングで行う。また、制御部６０は、各部を制御することにより、ノズル洗浄室１１５および噴霧ノズル１１６のそれぞれによる吐水を定期的に行う。このように、制御部６０は、便器２０のボウル部２１（図１参照）の除菌処理を含む自動除菌（自動吐水ともいう）モードを有する。
【００５３】
次に、図７を参照して自動除菌モードについて説明する。図７は、ボウル部２１の除菌処理を含む一連の除菌処理（自動除菌モード）の手順の一例を示すフローチャートである。図７に示すように、制御部６０は、人体検知部６２（たとえば、入室センサ６２ａ、着座センサ６２ｂおよび便蓋開閉センサ６２ｃのうちいずれか）による人体検知信号または操作部６３の操作により（ステップＳ１０１）、ノズル１１２に向けて局部洗浄指示が出力されたか否かを判定する（ステップＳ１０２）。
【００５４】
制御部６０は、局部洗浄指示が出力された場合（ステップＳ１０２：Ｙｅｓ）、ノズル１１２から洗浄水を噴射させて局部洗浄を開始する（ステップＳ１０３）。なお、制御部６０は、ステップＳ１０２の処理において局部洗浄指示が出力されない場合（ステップＳ１０２：Ｎｏ）、ステップＳ１０１の処理の前に戻る。
【００５５】
制御部６０は、局部洗浄を開始した後、局部洗浄終了指示が入力されると（ステップＳ１０４）、流路切替部４８ｂを制御し、ノズル１１２からの吐水を停止する（ステップＳ１０５）。次いで、制御部６０は、ノズル１１２を収納し（ステップＳ１０６）、ノズル１１２の除菌処理を行う（ステップＳ１０７）。この場合、制御部６０は、流路切替部４８ａ，４８ｃをそれぞれ切り替え、ノズル洗浄室１１５から除菌水を吐出させる。
【００５６】
制御部６０は、使用者からの手動操作または着座センサ６２ｂからの信号により、便器洗浄指示が入力されると（ステップＳ１０８）、ボウル部２１に洗浄水を流して便器洗浄を行う（ステップＳ１０９）。次いで、制御部６０は、ボウル部２１の除菌処理を行う。この場合、制御部６０は、流路切替部４８ａ，４８ｃをそれぞれ切り替え、噴霧ノズル１１６から除菌水を噴霧させる。
【００５７】
ここで、上記した金属イオン溶出ユニット５０の場合、ケース５１内に水が滞留している時間が長いほど除菌剤５２から金属イオンが溶出されて金属イオンの濃度が高まるため、ノズル１１２やボウル部１１６に向けて高濃度除菌水が吐出されてしまう。この場合、高濃度除菌水が付着した除菌対象物に黒ずみ（変色）などが発生する可能性がある。このため、本実施形態では、自動除菌モードにおいて除菌水の高濃度化を抑制するよう各部を制御する。
【００５８】
次に、図８を参照して自動除菌モードにおける除菌水の高濃度化抑制処理（その１）について説明する。図８は、自動除菌モードにおける除菌水の高濃度化抑制処理（その１）の手順を示すフローチャートである。図８に示すように、制御部６０は、金属イオン溶出ユニット５０に対して所定時間（たとえば、６時間）以上通水がないか否かを判定する（ステップＳ２０１）。
【００５９】
制御部６０は、金属イオン溶出ユニット５０に対する通水がない時間が所定時間（たとえば、６時間）未満である場合（ステップＳ２０１：Ｎｏ）、通常の便器洗浄処理および除菌処理を行う。すなわち、制御部６０は、人体検知部６２による人体検知や操作部６３の操作により（ステップＳ２０２）、ノズル１１２に向けて局部洗浄指示が出力されたか否かを判定し（ステップＳ２０３）、局部洗浄指示が出力された場合（ステップＳ２０３：Ｙｅｓ）、局部洗浄を開始する（ステップＳ２０４）。なお、制御部６０は、ステップＳ２０３の処理において局部洗浄指示が出力されない場合（ステップＳ２０３：Ｎｏ）、ステップＳ２０１の処理の前に戻る。
【００６０】
制御部６０は、局部洗浄を開始した後、局部洗浄終了指示が入力されると（ステップＳ２０５）、ノズル１１２からの吐水を停止する（ステップＳ２０６）。次いで、制御部６０は、ノズル１１２を収納し（ステップＳ２０７）、ノズル１１２の除菌処理を行う（ステップＳ２０８）。
【００６１】
制御部６０は、ステップＳ２０１の処理において金属イオン溶出ユニット５０に対する通水がない時間が所定時間（たとえば、６時間）以上である場合（ステップＳ２０１：Ｙｅｓ）、ノズル１１２またはボウル部２１の除菌処理を行う（ステップＳ２０９）。すなわち、制御部６０は、金属イオン溶出ユニット５０のケース５１内に除菌水Ｗ２を滞留させている時間が所定時間を超えた場合、ノズル洗浄室１１５または噴霧ノズル１１６から除菌水を吐出させる。
【００６２】
このように、上記した実施形態によれば、除菌剤５２に水が長時間接触して高濃度除菌水が生成され抑制することができ、高濃度除菌水がノズル洗浄室１１５や噴霧ノズル１１６から吐出されるのを抑制することができる。これにより、除菌水が銀イオン水などの場合のノズル１１２やボウル部２１における除菌水の高濃度化による黒ずみ（変色）を抑制することができる。また、高濃度除菌水が人体に影響を与えるなどの危険性を低減することができる。
【００６３】
また、この場合、汚れの程度が大きいボウル部２１の除菌処理を行うことで、ボウル部２１の除菌効果を高めることができる。また、ノズル１１２の除菌処理を行うため、ノズル１１２に対しても除菌効果を高めることができる。
【００６４】
また、上記した実施形態によれば、ノズル洗浄室１１５および噴霧ノズル１１６のそれぞれの吐水量が金属イオン溶出ユニット５０のケース５１の容量よりも大きいため、除菌処理によってケース５１内の除菌水を全体的に置換することができる。これにより、ケース５１内に除菌水の濃度を所定以上まで高める時間が長くなり、自動除菌の間隔を長くすることができる。
【００６５】
また、金属イオン溶出ユニット５０おいてケース５１内に除菌水の一部を残すことで、ケース５１内から除菌水の全部が排出されないため、自動除菌により除菌水が吐出された後にさらに除菌水を吐出する場合に短時間で比較的濃度の高い除菌水を生成することができる。
【００６６】
この場合、金属イオン溶出ユニット５０のケース５１内に滞留部５１３ａ，５１３ｂを有することで、ケース５１内に除菌水の一部を残すことができるようになり、自動除菌により除菌水が吐出された後にさらに除菌水を吐出する場合に短時間で比較的濃度の高い除菌水を生成することができる。
【００６７】
また、制御部６０は、金属イオン溶出ユニット５０のケース５１内に除菌水を滞留させている時間が所定時間を超えた場合には、噴霧ノズル１１６から除菌水を噴霧させた後、ノズル洗浄室１１５から除菌水を吐出させるよう除菌処理を行ってもよい。これにより、汚れの程度が大きいボウル部２１には比較的濃度の高い除菌水で除菌処理を行い、汚れの程度が少ないノズル１１２には後からケース内に流れ込んできた水により希釈されて濃度が低くなった除菌水で除菌処理を行うことができ、一連の除菌処理を効率的に行うことができる。
【００６８】
次に、図９を参照して自動除菌モードにおける除菌水の高濃度化抑制処理（その２）について説明する。図９は、自動除菌モードにおける除菌水の高濃度化抑制処理（その２）の手順を示すフローチャートである。図９に示すように、制御部６０は、金属イオン溶出ユニット５０に対して所定時間（たとえば、６時間）以上通水がないか否かを判定する（ステップＳ３０１）。
【００６９】
制御部６０は、金属イオン溶出ユニット５０に対する通水がない時間が所定時間（たとえば、６時間）未満である場合（ステップＳ３０１：Ｎｏ）、通常の便器洗浄処理および除菌処理を行う。すなわち、制御部６０は、人体検知部６２による人体検知や操作部６３の操作により（ステップＳ３０２）、ノズル１１２に向けて局部洗浄指示が出力されたか否かを判定し（ステップＳ３０３）、局部洗浄指示が出力された場合（ステップＳ３０３：Ｙｅｓ）、局部洗浄を開始する（ステップＳ３０４）。なお、制御部６０は、ステップＳ２０３の処理において局部洗浄指示が出力されない場合（ステップＳ３０３：Ｎｏ）、ステップＳ３０１の処理の前に戻る。
【００７０】
制御部６０は、局部洗浄を開始した後、局部洗浄終了指示が入力されると（ステップＳ３０５）、ノズル１１２からの吐水を停止する（ステップＳ３０６）。次いで、制御部６０は、ノズル１１２を収納し（ステップＳ３０７）、ノズル１１２の除菌処理を行う（ステップＳ３０８）。
【００７１】
制御部６０は、ステップＳ３０１の処理において金属イオン溶出ユニット５０に対する通水がない時間が所定時間（たとえば、６時間）以上である場合（ステップＳ３０１：Ｙｅｓ）、ノズル１１２またはボウル部２１の除菌処理を行う（ステップＳ３０９）。すなわち、制御部６０は、金属イオン溶出ユニット５０のケース５１内に除菌水Ｗ２を滞留させている時間が所定時間を超えた場合、ノズル洗浄室１１５または噴霧ノズル１１６から除菌水を吐出させる。
【００７２】
ここで、制御部６０は、人体検知部６２（たとえば、入室センサ６２ａ、着座センサ６２ｂおよび便蓋開閉センサ６２ｃのうちいずれか）から人体検知信号が出力されると（ステップＳ３１０）、ノズル１１２やボウル部２１の除菌処理を停止し（ステップＳ３１１）、局部洗浄指示が出力されたか否かを判定する（ステップＳ３１２）。制御部６０は、局部洗浄指示が出力されたと判定した場合（ステップＳ３１２：Ｙｅｓ）、ステップＳ３０４の処理の前に戻り、再度局部洗浄を開始する。
【００７３】
また、制御部６０は、局部洗浄指示が出力されていないと判定した場合（ステップＳ３１２：Ｎｏ）、人体を検知しない場合（ステップＳ３１３）は使用者がいないと判断し、ステップＳ３０１の処理の前に戻る。
【００７４】
また、制御部６０は、ステップＳ３１０の処理において人体検知信号が出力されない場合（ステップＳ３１０：Ｎｏ）、たとえば、積算してノズル洗浄室１１５や噴霧ノズル１１６から除菌水を所定時間吐出した後、ノズル洗浄室１１５や噴霧ノズル１１６から除菌水の吐出を停止させる（ステップＳ３１４）。
【００７５】
このように、上記した実施形態によれば、人体が検知された場合は衛生洗浄装置を含むトイレが使用されることが予想されるため、除菌水の自動吐水を停止して金属イオン溶出ユニット５０のケース５１内に除菌水を残しておくことで、この後の除菌水の生成時間を短縮することができる。また、使用者に衛生洗浄装置を含むトイレの使用を優先させることで快適性を確保することができる。
【００７６】
また、ノズル洗浄が行われなかった場合に人体が検知されなくなると、除菌水が消費されていないため、ノズル洗浄室１１５や噴霧ノズル１１６において除菌水を吐出させることで高濃度除菌水が生成されるのを防止することができる。
【００７７】
また、制御部６０は、金属イオン溶出ユニット５０のケース５１内に除菌水を滞留させている時間が所定時間を超えた場合には、ノズル洗浄室１１５や噴霧ノズル１１６により除菌水を噴霧させてから上記した所定時間よりも短い第２の所定時間が経過した後、ノズル洗浄室１１５や噴霧ノズル１１６から除菌水（または洗浄水）を吐出させるよう処理を行ってもよい。このように、除菌水の吐出先であるノズル１１２やボウル部２１が乾燥する前に除菌水または水を自動吐水することで、除菌水の乾燥による金属イオン（銀イオン）の固着を抑制することができる。
【００７８】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００７９】
１０    衛生洗浄装置
１１２    ノズル
１１４    吐水部
１１５    ノズル側吐水部
１１６    便器側吐水部
３０    流路
５０    除菌水生成部
５１    ケース
５１３ａ  滞留部
５１３ｂ  滞留部
５２    除菌剤
６０    制御部
６２    人体検知部
Ｗ１    水
Ｗ２    除菌水
【図１】
2020193442.tif 000003
【図２】
2020193442.tif 000004
【図３】
2020193442.tif 000005
【図４】
2020193442.tif 000006
【図５】
2020193442.tif 000007
【図６】
2020193442.tif 000008
【図７】
2020193442.tif 000009
【図８】
2020193442.tif 000010
【図９】
2020193442.tif 000011